(57)【要約】【課題】保持部材により側板の内面に表示シートを保持することができ、表示シートを側板の外面から視認することができ、例えば、収納物の写真、文字による種類やその他の情報を記した表示シートを採用することにより組立棚体に収納された収納物の種類を側板の外方から表示シートにより認識することができ、棚板に収納された内容物を棚板毎に分類分けすることも容易に行うことができ、表示シートを分類分けの手段として利用することができ、収納物の整理を良好に行うことができ、使用の利便性を高めることができる。【解決手段】棚板１、左右一対の側板２・２及び天板３からなる合成樹脂製の組立棚体Ｓからなり、上記側板の内面に写真、イラスト、各種情報等を記した表示シートＤを配置し、表示シートを側板の内面に保持可能な保持部材５を設け、表示シートは側板の外面から視認可能に設けられている。【選択図】図２
0003199899.tif 000002
【実用新案登録請求の範囲】
【請求項１】
棚板、左右一対の側板及び天板からなる合成樹脂製の組立棚体からなり、上記側板の内面に写真、イラスト、各種情報等を記した表示シートを配置し、該表示シートを該側板の内面に保持可能な保持部材を設け、該表示シートは該側板の外面から視認可能に設けられていることを特徴とする組立式整理棚。
【請求項２】
複数個の上下の棚板、複数組の左右一対の側板及び天板からなる合成樹脂製の組立棚体からなり、上記側板の内面に写真、イラスト、各種情報等を記した表示シートを配置し、該表示シートを該側板の内面に保持可能な保持部材を設け、該表示シートは該側板の外面から視認可能に設けられていることを特徴とする組立式整理棚。
【請求項３】
上記側板の上記表示シートに対向する部位を該側板の外面から視認可能な透視部に形成してなることを特徴とする請求項１又は２記載の組立式整理棚。
【請求項４】
上記側板は上記表示シートを該側板の外面から視認可能な透視材により形成されていることを特徴とする請求項１又は２記載の組立式整理棚。
【考案の詳細な説明】
【技術分野】
【０００１】
本考案は、例えば、一般家庭に設置され、雑誌、単行本、書籍、衣類、キッチン用品、工具類、日用品、各種の小物類等の収納物を整理収納する際に用いられる組立式整理棚に関するものである。
【背景技術】
【０００２】
従来、この種の組立式整理棚として、相互に組立自在な合成樹脂製の棚板、左右一対の側板及び天板からなる組立棚体を備えた構造のものが知られている。
【先行技術文献】
【特許文献】
【０００３】
【特許文献１】実用新案登録第３１０７４８５号
【考案の概要】
【考案が解決しようとする課題】
【０００４】
しかしながら上記従来構造の場合、組立棚体に収納された収納物の種類を側板の外方から視認することは困難であり、組立棚体を複数個上下方向及び又は左右方向、あるいは前後方向に並列配置した場合には棚板が多数存在することになり、棚板に収納された内容物を棚板毎に記憶して分類分けすることは困難であり、それだけ、使用の利便性に劣ることがあるという不都合を有している。
【課題を解決するための手段】
【０００５】
本考案はこれらの不都合を解決することを目的とするもので、本考案のうちで、請求項１記載の考案は、棚板、左右一対の側板及び天板からなる合成樹脂製の組立棚体からなり、上記側板の内面に写真、イラスト、各種情報等を記した表示シートを配置し、該表示シートを該側板の内面に保持可能な保持部材を設け、該表示シートは該側板の外面から視認可能に設けられていることを特徴とする組立式整理棚にある。
【０００６】
又、請求項２記載の考案は、複数個の上下の棚板、複数組の左右一対の側板及び天板からなる合成樹脂製の組立棚体からなり、上記側板の内面に写真、イラスト、各種情報等を記した表示シートを配置し、該表示シートを該側板の内面に保持可能な保持部材を設け、該表示シートは該側板の外面から視認可能に設けられていることを特徴とする組立式整理棚にある。
【０００７】
又、請求項３記載の考案は、上記側板の上記表示シートに対向する部位を該側板の外面から視認可能な透視部に形成してなることを特徴とするものであり、又、請求項４記載の考案は、上記側板は上記表示シートを該側板の外面から視認可能な透視材により形成されていることを特徴とするものである。
【考案の効果】
【０００８】
本考案は上述の如く、請求項１記載の考案にあっては、棚板、左右一対の側板及び天板からなる合成樹脂製の組立棚体からなり、上記側板の内面に写真、イラスト、各種情報等を記した表示シートを配置し、表示シートを側板の内面に保持可能な保持部材を設け、表示シートは側板の外面から視認可能に設けられているから、保持部材により側板の内面に表示シートを保持することができ、表示シートを側板の外面から視認することができ、例えば、収納物の写真、文字による種類やその他の情報を記した表示シートを採用することにより組立棚体に収納された収納物の種類を側板の外方から表示シートにより認識することができ、棚板に収納された内容物を棚板毎に分類分けすることも容易に行うことができ、表示シートを分類分けの手段として利用することができ、収納物の整理を良好に行うことができ、使用の利便性を高めることができ、例えば、美的な写真や絵画が描かれた表示シートを採用することにより室内の装飾的効果を得ることができる。
【０００９】
又、請求項２記載の考案にあっては、複数個の上下の棚板、複数組の左右一対の側板及び天板からなる合成樹脂製の組立棚体からなり、上記側板の内面に写真、イラスト、各種情報等を記した表示シートを配置し、表示シートを側板の内面に保持可能な保持部材を設け、表示シートは側板の外面から視認可能に設けられているから、保持部材により側板の内面に表示シートを保持することができ、表示シートを側板の外面から視認することができ、例えば、収納物の写真、文字による種類やその他の情報を記した表示シートを採用することにより組立棚体に収納された収納物の種類を側板の外方から表示シートにより認識することができ、棚板に収納された内容物を棚板毎に分類分けすることも容易に行うことができ、表示シートを分類分けの手段として利用することができ、収納物の整理を良好に行うことができ、使用の利便性を高めることができ、例えば、美的な写真や絵画が描かれた表示シートを採用することにより室内の装飾的効果を得ることができる。
【００１０】
又、請求項３記載の考案にあっては、上記側板の上記表示シートに対向する部位を側板の外面から視認可能な透視部に形成してなるから、透視部により表示シートを側板を介して側板の外面から良好に視認することができ、又、請求項４記載の考案にあっては、上記側板は上記表示シートを側板の外面から視認可能な透視材により形成されているから、側板の各部位から上記表示シートを視認することができ、視認性の向上を図ることができる。
【図面の簡単な説明】
【００１１】
【図１】本考案の実施の第一形態例の全体斜視図である。
【図２】本考案の実施の第一形態例の全体分解斜視図である。
【図３】本考案の実施の第一形態例の部分正断面図である。
【図４】本考案の実施の第一形態例の側断面図である。
【図５】本考案の実施の第一形態例の側断面図である。
【図６】本考案の実施の第一形態例の部分平断面図である。
【図７】本考案の実施の第二形態例の全体斜視図である。
【図８】本考案の実施の第三形態例の分離斜視図である。
【図９】本考案の実施の第三形態例の部分斜視図である。
【図１０】本考案の実施の第三形態例の部分正断面図である。
【考案を実施するための形態】
【００１２】
図１乃至図１０は本考案の実施の各種の形態例を示し、図１乃至図６は請求項１の考案に対応する第一形態例、図７は請求項２の考案に対応する第二形態例、図８乃至図１０は請求項１の考案に対応する第三形態例である。
【００１３】
図１乃至図６は請求項１の考案に対応する第一形態例を示し、Ｓは組立棚体であって、合成樹脂製の棚板１、合成樹脂製の左右一対の側板２・２及び合成樹脂製の天板３からなり、前面及び後面が開放された四角枠状に形成されている。
【００１４】
この場合、図１、図２の如く、上記棚板１は合成樹脂製の棚面板１ａの周辺部に周辺板１ｂが垂下形成され、棚板１の左右辺部中央部に嵌着凸部１ｃ・１ｃが形成され、又、この場合、図１、図２の如く、上記側板２は合成樹脂製の側面板２ａの周辺部に周辺板２ｂが形成され、各側板２の下部中央部に上記棚板１の嵌着凸部１ｃ・１ｃが嵌着可能な嵌着凹部２ｃ・２ｃが形成され、各側板２の上部に前後一対の嵌着凸部２ｄ・２ｄが形成され、各側板２の下部左右部に側板２の上記前後一対の嵌着凸部２ｄ・２ｄが嵌着可能な嵌着凹部２ｅ・２ｅが形成され、又、この場合、図１、図２の如く、上記天板３は合成樹脂製の天面板３ａの周辺部に周辺板３ｂが垂下形成され、天板３の左右辺部に上記前後一対の嵌着凸部２ｄ・２ｄに嵌着可能な前後一対の嵌着凹部３ｃ・３ｃがそれぞれ形成され、上記棚板１と側板２とは嵌着凸部１ｃ・１ｃと嵌着凹部２ｃ・２ｃとの嵌着により組み立て、上記側板２と上記天板３とは嵌着凸部２ｄ・２ｄと嵌着凹部３ｃ・３ｃとの嵌着により組立自在に設けて構成している。
【００１５】
又、この場合、上記天板３の左右辺部に一個宛及び前後辺部に二個宛、それぞれ計六個の天板係脱部３ｄ・３ｄ・・が形成され、上記棚板１の前後辺部に二個宛、計四個の棚板係脱部１ｄ・１ｄ・・が形成され、この場合、上記天板係脱部３ｄ・３ｄ・・及び上記棚板係脱部１ｄ・１ｄ・・は係脱穴部Ｋ、この場合、対向一対の係脱穴部Ｋ・Ｋからなり、合成樹脂製の閉塞部材４の閉塞凸部Ｅ・Ｅを係脱穴部Ｋ・Ｋに嵌着して構成している。
【００１６】
７は取手凹部であって、この場合、図１の如く、上記左右一対の側板２・２の上部中央部に凹状に形成され、取手凹部７に指を挿入して組立棚体Ｓを容易に移動可能に構成している。
【００１７】
Ｄは表示シートであって、上記側板２の内面に配置され、写真、イラスト、各種情報等が印刷等により表面に記され、表示シートＤを側板２の内面に保持可能な保持部材５を設け、表示シートＤは側板２の外面から視認可能に設けられている。
【００１８】
この場合、図２の如く、上記保持部材５は合成樹脂製の板材により形成され、保持部材５の上端部には上記側板２の上部に設けられた嵌入孔部２ｆ・２ｆに嵌入可能な上凸部５ａ・５ａが設けられ、保持部材５の下端部には上記棚板１の上面に設けられた嵌入孔部１ｅ・１ｅに嵌入可能な下凸部５ｂ・５ｂが設けられ、図３、図４、図５、図６の如く、上記上凸部５ａ・５ａと嵌入孔部２ｆ・２ｆとの嵌入及び下凸部５ｂ・５ｂと嵌入孔部１ｅ・１ｅとの嵌入により保持部材５を側板２の内面に保持可能に設けて構成している。
【００１９】
又、この場合、上記側板２の表示シートＤに対向する部位Ｑは透視部Ｆとして形成され、すなわち、この場合、側板２の表面は例えば梨地処理が施されて半透明面とされ、上記表示シートＤに対向する部位Ｑは梨地処理を施さずに透明面とされ、この透明面を透視部Ｆとし、表示シートＤを側板２の内面に配置し、表示シートＤを保持部材５により側板２の内面に保持し、表示シートＤを透視部Ｆを介して側板２の外面から視認可能に構成している。
【００２０】
この実施の第一形態例は上記構成であるから、棚板１、左右一対の側板２・２及び天板３からなる合成樹脂製の組立棚体Ｓからなり、上記側板２の内面に写真、イラスト、各種情報等を記した表示シートＤを配置し、表示シートＤを側板２の内面に保持可能な保持部材５を設け、表示シートＤは側板２の外面から視認可能に設けられているから、保持部材５により側板２の内面に表示シートＤを保持することができ、表示シートＤを側板２の外面から視認することができ、例えば、収納物の写真、文字による種類やその他の情報を記した表示シートＤを採用することにより組立棚体Ｓに収納された収納物の種類を側板２の外方から表示シートＤにより認識することができ、棚板１に収納された内容物を棚板１毎に分類分けすることも容易に行うことができ、表示シートＤを分類分けの手段として利用することができ、収納物の整理を良好に行うことができ、使用の利便性を高めることができ、例えば、美的な写真や絵画が描かれた表示シートＤを採用することにより室内の装飾的効果を得ることができる。
【００２１】
この場合、上記側板２の上記表示シートＤに対向する部位Ｑを側板２の外面から視認可能な透視部Ｆに形成してなるから、透視部Ｆにより表示シートＤを側板２を介して側板２の外面から良好に視認することができる。
【００２２】
図７は請求項２の考案に対応する第二形態例を示し、Ｐは組立棚体であって、合成樹脂製の複数個、この場合、三個の棚板１・１・１、複数組、この場合、三組の合成樹脂製の左右一対の側板２・２・２及び合成樹脂製の天板３からなり、前面及び後面が開口された四角枠状に形成されている。
【００２３】
そして、上記第一形態例と同様に、上記側板２の内面に表示シートＤを配置し、表示シートＤには写真、イラスト、各種情報等が印刷等により記され、表示シートＤを側板２の内面に保持可能な保持部材５を設け、表示シートＤは側板２の外面から視認可能に設けて構成している。
【００２４】
又、上記保持部材５にあっても、上記第二形態例と同様に合成樹脂製の板材により形成され、かつ、保持部材５の取り付け構造にあっても、上記同様な構造が採用され、さらに、上記側板２の表示シートＤに対向する部位Ｑは透視部Ｆとして形成されている。
【００２５】
この実施の第二形態例は上記構成であるから、上記第一形態例と同様に、保持部材５により組立棚体Ｐの各側板２の内面に表示シートＤを保持することができ、例えば、収納物の写真、文字による種類やその他の情報を記した表示シートＤを採用することにより組立棚体Ｓに収納された収納物の種類を側板２の外方から表示シートＤにより認識することができ、棚板１に収納された内容物を棚板１毎に分類分けすることも容易に行うことができ、表示シートＤを分類分けの手段として利用することができ、収納物の整理を良好に行うことができ、使用の利便性を高めることができ、例えば、美的な写真や絵画が描かれた表示シートＤを採用することにより室内の装飾的効果を得ることができる。
【００２６】
図８乃至図１０は請求項１の考案に対応する第三形態例を示し、この場合、上記第一形態例の二個の組立棚体Ｓ・Ｓを左右方向に対向配置し、各組立棚体Ｓ・Ｓの隣接する各天板３・３の天板係脱部３ｄ・３ｄ・・間に係脱自在に架設される連結部材６を設け、この場合、連結部材６は隣接する各係脱穴部Ｋ・Ｋに挿脱自在な対向一対の計二組の連結凸部Ｔ・Ｔからなり、かつ、図９の如く、上記連結部材６として、架材Ｈに対向一対の計二組の連結凸部Ｔ・Ｔが形成され、連結凸部Ｔ・Ｔの側面に係止突部Ｔ１・Ｔ１が形成され、上記係脱穴部Ｋ・Ｋの周囲に架材Ｈの厚さと略同寸法の深さの凹面部Ｋ１を形成して構成している。
【００２７】
この実施の第三形態例は上記構成であるから、上記第一形態例と同様に、保持部材５により二個の各組立棚体Ｓ・Ｓの側板２の内面に表示シートＤを保持することができ、表示シートＤを側板２の外面から視認することができ、例えば、収納物の写真、文字による種類やその他の情報を記した表示シートＤを採用することにより組立棚体Ｓに収納された収納物の種類を側板２の外方から表示シートＤにより認識することができ、棚板１に収納された内容物を棚板１毎に分類分けすることも容易に行うことができ、表示シートＤを分類分けの手段として利用することができ、収納物の整理を良好に行うことができ、使用の利便性を高めることができ、例えば、美的な写真や絵画が描かれた表示シートＤを採用することにより室内の装飾的効果を得ることができる。
【００２８】
尚、上記実施の各形態例においては、側板２の表面は例えば梨地処理が施されて半透明面とされ、上記表示シートＤに対向する部位Ｑは梨地処理を施さずに透明面とされ、この透明面を透視部Ｆとし、上記側板２の表示シートＤに対向する部位Ｑは透視部Ｆとして形成し、表示シートＤを透視部Ｆを介して側板２の外面から視認可能に構成しているが、図示を省略した他の実施例として、側板２に梨地処理等を施さずに側板２の全材質を透明合成樹脂などの透視材により形成し、上記表示シートＤを側板２の外面から視認可能に構成することもある。
【００２９】
この他の実施の形態例にあっては、上記側板２は上記表示シートＤを側板２の外面から視認可能な透視材により形成されているから、側板２の各部位Ｑから上記表示シートＤを視認することができ、視認性の向上を図ることができる。
【００３０】
尚、本考案は上記実施の形態例に限られず、例えば、棚板１、側板２及び天板３の形態や表示シートＤの形態、保持部材５の形態や取付構造等は適宜変更して設計されるものである。
【００３１】
以上の如く、所期の目的を充分達成することができる。
【符号の説明】
【００３２】
Ｓ  組立棚体
Ｐ  組立棚体
Ｄ  表示シート
Ｑ  部位
Ｆ  透視部
１  棚板
２  側板
３  天板
５  保持部材
【図１】
0003199899.tif 000003
【図２】
0003199899.tif 000004
【図３】
0003199899.tif 000005
【図４】
0003199899.tif 000006
【図５】
0003199899.tif 000007
【図６】
0003199899.tif 000008
【図７】
0003199899.tif 000009
【図８】
0003199899.tif 000010
【図９】
0003199899.tif 000011
【図１０】
0003199899.tif 000012